(57)【要約】      （修正有）【課題】電源電圧、加熱室温度、被加熱物の温度に影響を受けること無く、加熱後すぐに加熱時間を知ることができる加熱調理器を提供する。【解決手段】被加熱物を加熱する加熱手段と、被加熱物の加熱方法を入力する入力手段７１と、加熱手段に供給される電源の電圧値を検出する電源電圧検出手段２９と、加熱室の温度を検出する加熱室温度センサ８０と、被加熱物の初期温度を検出する赤外線センサ５２と、電源電圧検出手段２９と加熱室温度センサ８０と赤外線センサ５２との検出結果に基づいて加熱手段を制御する制御手段２３ａとを備え、制御手段２３ａは、被加熱物の加熱開始後に電源電圧検出手段２９と加熱室温度センサ８０と赤外線センサ５２との検出結果に基づいて全体の加熱時間を算出して入力手段７１の表示部に表示する。【選択図】図１２
2018194270.tif 000002
【特許請求の範囲】
【請求項１】
被加熱物を入れて加熱する加熱室と、
前記被加熱物を加熱する加熱手段と、
前記被加熱物の加熱方法を入力する入力手段と、
前記加熱手段に供給される電源の電圧値を検出する電源電圧検出手段と、
前記加熱室の温度を検出する加熱室温度センサと、
前記被加熱物の温度を検出する赤外線センサと、
前記入力手段の入力と、前記電源電圧検出手段と前記加熱室温度センサと前記赤外線センサとの検出結果に基づいて前記加熱手段を制御する制御手段とを備え、
前記制御手段は、前記電源電圧検出手段と前記加熱室温度センサと前記赤外線センサとの検出結果に基づいて全体の加熱時間を算出し、該加熱時間を前記入力手段の表示部に表示することを特徴とする、加熱調理器。
【請求項２】
前記制御手段は、
前記被加熱物の初期温度を前記被加熱物の保存状態として調理者に入力することを促す表示を前記入力手段に表示することを特徴とする、
請求項１記載の加熱調理器。
【請求項３】
調理者が前記入力手段から前記被加熱物の保存状態として入力する場合には、その入力を冷凍の温度帯又は冷蔵から常温の温度帯の二者択一にしていることを特徴とする、
請求項２記載の加熱調理器。
【請求項４】
前記制御手段は、
前記被加熱物の初期温度を前記赤外線センサで検出する場合には、その検出した温度を冷凍、冷蔵、及び常温の三種類の温度帯に分けることを特徴とする、
請求項１記載の加熱調理器。
【発明の詳細な説明】
【技術分野】
【０００１】
本発明は食パンを自動で加熱する加熱調理器に関するものである。
【背景技術】
【０００２】
特許文献１は、庫内温度が設定温度に到達するまでの到達時間を検出して該到達時間により総加熱時間を自動的に補正する機能を有した加熱器が示されたものである。
【０００３】
例えば、電源電圧が１００Ｖ、加熱器が常温に放置されていた状態で被加熱物の加熱を開始して、被加熱物の加熱状態が良好となる条件の時の前記到達時間と総加熱時間を基準として、電源電圧が前記１００Ｖより低い場合は前記到達時間が長くなるために、被加熱物の加熱状態が良好とするためには前記総加熱時間を長くし、電源電圧が前記１００Ｖより高い場合は前記到達時間が短くなるため、被加熱物の加熱状態が良好とするためには前記総加熱時間を短くするものである。
【先行技術文献】
【特許文献】
【０００４】
【特許文献１】特開昭６２−５２３２４号公報
【発明の概要】
【発明が解決しようとする課題】
【０００５】
上記特許文献１に示す技術は、調理を開始して特定の時間経過しないと補正後の総加熱時間を知ることが出来ない課題がある。
【０００６】
また、食パンを美味しく焼く条件として、高火力で短時間に焼き上げることが大切である。火力が弱り焼き上げるのに時間を要すると乾燥した美味しくないトーストになる。また、食パンは熱容量が小さいため、焼き上がった後は直ぐに加熱器から取り出さないと、庫内の温度で食パンの加熱が進行して焦げすぎたトーストになる。
【０００７】
しかし、食パンを短時間で焼き上げるためにヒータ出力を大きくして加熱を開始すると、総加熱時間を補正するのに必要な前記到達時間は短時間となり、基準となる到達時間に対して電源電圧の変動にともなう到達時間との間の差が小さくなり、この差が他の要因による誤差と区別が付き難くなり補正が難しくなる課題がある。
【０００８】
また、今加熱を開始した総加熱時間は、加熱して特定の時間が経過した後でないと知ることができないため、使用者は食パンを焼きながら、焼き上がったトーストに塗るバターやジャムの用意ができなかったり、想定していた時間より早く焼き上がった時は、トーストを直ぐに取り出せないで加熱が進行する課題がある。
【課題を解決するための手段】
【０００９】
本発明は、上記の課題を解決するためになされたもので、被加熱物を加熱するために入れる加熱室と、前記被加熱物を加熱する加熱手段と、前記被加熱物の加熱方法を入力する入力手段と、前記加熱手段に供給される電源の電圧値を検出する電源電圧検出手段と、前記加熱室の温度を検出する加熱室温度センサと、前記被加熱物の温度を非接触で検出する赤外線センサと、前記入力手段の入力と、前記電源電圧検出手段と前記加熱室温度センサと前記赤外線センサとの検出結果に基づいて前記加熱手段を制御する制御手段とを備え、該制御手段は、前記被加熱物の加熱開始後に前記電源電圧検出手段と前記加熱室温度センサと前記赤外線センサとの検出結果に基づいて全体の加熱時間を算出し、該加熱時間を前記入力手段の表示部に表示し、前記被加熱物の加熱を開始するものである。
【発明の効果】
【００１０】
本発明によれば、電源電圧、加熱室温度、被加熱物の温度に影響を受ける事無く、食パンを焼き上げる事が可能となる。また、使用者が加熱開始後すぐに加熱時間を知ることができる加熱調理器を提供することができる。
【図面の簡単な説明】
【００１１】
【図１】本発明の一実施例に係る加熱調理器の正面斜視図。
【図２】図１のＡ−Ａ断面図。
【図３】同加熱調理器の外枠を外した前方斜視図。
【図４】同加熱調理器の外枠を外した後方斜視図。
【図５】本発明の実施例に係る基準位置を示す赤外線センサ部の説明図。
【図６】本発明の実施例に係る終点位置を示す赤外線センサの説明図。
【図７】本発明の実施例に係る観測窓を閉めた状態を示す赤外線センサの説明図。
【図８】図２断面図を使用した赤外線センサの動作説明図。
【図９】金属網に被加熱物を載せた斜視図。
【図１０】図２断面図を使用した金属網に被加熱物を載せた赤外線センサの動作説明図。
【図１１】本実施例の加熱動作を説明する説明図。
【図１２】同加熱調理器の制御を説明する制御ブロック図。
【発明を実施するための形態】
【００１２】
本発明の実施例を図面に従って説明する。
【００１３】
図１から図３は、本実施例の主要部分を示すもので、図１は加熱調理器本体を前面側から見た斜視図、図２は図１のＡ−Ａ断面図、図３は同本体の外枠を除いた状態で前方側から見た斜視図、図４は同本体の外枠を除いた状態で後方側から見た斜視図である。
【００１４】
図において、加熱調理器の本体１は、加熱室２８の中に加熱する食品（被加熱物）を入れ、マイクロ波やヒータの熱、過熱水蒸気を使用して前記食品を加熱調理する。
【００１５】
ドア２は、加熱室２８の内部に食品を出し入れするために開閉するもので、ドア２を閉めることで加熱室２８を密閉状態にし、食品を加熱する時に使用するマイクロ波の漏洩を防止し、ヒータの熱や過熱水蒸気を封じ込め、効率良く加熱することを可能とする。
【００１６】
取っ手９は、ドア２に取り付けられ、ドア２の開閉を容易にするもので、手で握りやすい形状になっている。
【００１７】
ガラス窓３は、調理中の食品の状態が確認できるようにドア２に取り付けられており、ヒータ等の発熱による高温に耐えるガラスを使用している。
【００１８】
入力手段７１は、ドア２の前面下側の操作パネル４に設けられ、マイクロ波加熱やヒータ加熱等の加熱手段や加熱する時間等と加熱温度の入力するための操作部６と、操作部６から入力された内容や調理の進行状態を表示する表示部５とで構成されている。
【００１９】
外枠７は、加熱調理器の本体１の上面と左右側面を覆うキャビネットである。
【００２０】
水タンク４２は、水蒸気を作るのに必要な水を溜めておく容器であり、加熱調理器の本体１の前面下側に設けられ、本体１の前面から着脱可能な構造とすることで給水および排水が容易にできるようになっている。
【００２１】
後板１０は、前記したキャビネットの後面を形成するものであり、上部に外部排気ダクト１８が取り付けられ、食品から排出した蒸気や本体１の内部の部品を冷却した後の冷却風（廃熱）３９を外部排気ダクト１８の外部排気口８から排出する。
【００２２】
機械室２０は、加熱室底面２８ａと本体１の底板２１との間の空間部に設けられ、底板２１上には食品を加熱するためのマグネトロン３３、マグネトロン３３に接続された導波管４７、制御手段２３ａ（図１２参照）を実装した制御基板２３、その他後述する各種部品、これらの各種部品を冷却するファン装置１５等が取り付けられている。
【００２３】
加熱室底面２８ａは、略中央部が凹状に窪んでおり、その中に回転アンテナ２６が設置され、マグネトロン３３より放射されるマイクロ波エネルギーが導波管４７、回転アンテナ２６の出力軸４６ａが貫通する結合穴４７ａを通して回転アンテナ２６の下面に流入し、該回転アンテナ２６で拡散されて加熱室２８内に放射される。回転アンテナ２６の出力軸４６ａは回転アンテナ駆動手段４６に連結されている。
【００２４】
ファン装置１５は、底板２１に取り付けた冷却モータに取り付けられた冷却ファンとで構成する。このファン装置１５によって発生する冷却風３９は、機械室２０内の自己発熱するマグネトロン３３やインバータ基板２２、奥側重量センサ２５ｃ，左側重量センサ２５ｂなどを冷却する。
【００２５】
また、加熱室２８の外側と外枠７の間および前記したように熱風ケース１１ａと後板１０の間を流れ、外枠７と後板１０を冷却しながら外部排気ダクト１８の外部排気口８より排出される。
【００２６】
さらに、後述する熱風モータ１３を冷却するためのダクト１６ａと、後述する赤外線ケース４８内に収められた赤外線ユニット５０を冷却するためのダクト１６ｂが設けられ、赤外線ユニット５０を冷却した冷却風３９は、加熱室２８内の排熱（水蒸気など）を排気する排気ダクト２８ｅの反対側から排出された後に外部排気ダクト１８より外に排出される。
【００２７】
加熱室２８の加熱室天面２８ｃの奥側にはサーミスタによって加熱室２８の雰囲気の加熱室の温度を検出する加熱室温度センサ８０（図８）を設けられ、また加熱室２８の加熱室天面２８ｃの奥側には後述する赤外線ユニット５０が設けられ、赤外線ユニット５０を冷却するために赤外線ケース４８にて覆い、略筒状に形成されてダクト１６ｂを熱風ケース１１ａと後板１０との間に位置し、ダクト１６ｂの上端開口部を赤外線ケース４８の側面に接続し、下端開口部を熱風モータカバー１７上面と接続し、ファン装置１５からの冷却風３９の一部を取り入れるようにしている。
【００２８】
加熱室底面２８ａには、複数個の重量センサ２５、例えば前側左右に左側重量センサ２５ｂ、右側重量センサ２５ａ、後側中央に奥側重量センサ２５ｃが設けられ、その上にテーブルプレート２４が載置されている。
【００２９】
テーブルプレート２４は、食品を載置するためのもので、ヒータ加熱とマイクロ波加熱の両方に使用できるように耐熱性を有し、かつ、マイクロ波の透過性が良い材料で成形されている。
【００３０】
レンジ加熱手段３３０（図１２参照）は、マグネトロン３３とインバータ回路（図示せず）よりなり制御手段２３ａによって制御される。
【００３１】
オーブン加熱手段２３０（図１２参照）は、加熱室２８の後部に取り付けられた熱風ユニット１１からなり後述する加熱室温度センサ８０の検出結果に基づいて制御手段２３ａによって制御される。
【００３２】
熱風ユニット１１は、加熱室２８の後部に取り付けられ、該熱風ユニット１１内には加熱室２８内の空気を効率良く循環させる熱風ファン３２が取り付けられ、加熱室奥壁面２８ｂには空気の通り道となる熱風吸気孔３１と熱風吹出し孔３０が設けられ、熱風ファン３２は熱風ケース１１ａの外側に取り付けられた熱風モータ１３の駆動により回転し、熱風ヒータ１４で循環する空気を加熱する。
【００３３】
また、熱風ユニット１１は、加熱室奥壁面２８ｂの後部側に熱風ケース１１ａを設け、加熱室奥壁面２８ｂと熱風ケース１１ａとの間に熱風ファン３２とその外周側に位置するように熱風ヒータ１４を設け、熱風ケース１１ａの後側に熱風モータ１３を取り付け、そのモータ軸を熱風ケース１１ａに設けた穴を通して熱風ファン３２と連結している。
【００３４】
熱風モータ１３は、加熱室２８や熱風ヒータ１４からの熱によって温度上昇する。それを防ぐため、熱風モータカバー１７によって囲い、略筒状に形成されてダクト１６ａを熱風ケース１１ａと後板１０との間に位置し、ダクト１６ａの上端開口部を熱風モータカバー１７の下面に接続し、下端開口部をファン装置１５の吹出し口に接続し、ファン装置１５からの冷却風３９の一部を熱風モータカバー１７内に取り入れるようにしている。
【００３５】
グリル加熱手段１２は、加熱室２８の加熱室天面２８ｃの裏側に取り付けられ、後述する加熱室温度センサ８０の検出結果に基づいて制御手段２３ａによって制御される。グリル加熱手段１２はマイカ板にヒータ線を巻き付けて平面状に形成し、加熱室２８の天面裏側に押し付けて固定し、加熱室２８の天面を加熱して加熱室２８内の食品を輻射熱によって焼成する。
【００３６】
スチーム加熱手段４３０は、水蒸気発生手段４３、ポンプ手段８７からなり、水蒸気発生手段４３は加熱室２８の外側面に取り付けられ、スチーム噴出口４４を加熱室２８内に臨ませている。
【００３７】
ポンプ手段８７は、水タンク４２の水を水蒸気発生手段４３まで汲み上げるもので、ポンプとポンプを駆動するモータで構成される。この給水量の調節はモータのＯＮ／ＯＦＦの比率で決定する。
【００３８】
加熱手段はレンジ加熱手段３３０、オーブン加熱手段２３０、グリル加熱手段１２、スチーム加熱手段４３０である。
【００３９】
次に、図５〜図８を用いて加熱室２８の上方に設けられた非接触で被加熱物６０ｃの温度を検出する赤外線センサ５２の動作について詳細を説明する。
【００４０】
５１はモータで、モータ５１の向きは、回転軸５１ａと加熱室奥壁面２８ｂと並行となるように取り付けられている。そして、回転軸５１ａが後述する筒状のユニットケース５４を回転（駆動）させることで、ユニットケース５４に収めた赤外線センサ５２を搭載した基板５３を回転させて赤外線センサ５２のレンズ部５２ａの向きを加熱室底面２８ａの奥側（加熱室奥壁面２８ｂ側）から加熱室開口部２８ｄまでの範囲を回転移動して温度を検出できるようにしている。モータ５１はステッピングモータを使用し内部に減速用のギアを備え、制御基板２３に設けられた制御手段２３ａの制御によって回転軸５１ａを正転、逆転、また回転角度を好みに動作可能となっている。モータ５１は、調理の加熱条件に合わせた動作となるように制御される。
【００４１】
５２は赤外線センサで、赤外線検出素子（例えばサーモパイル）を複数個設けたもので、ここでは、回転軸５１ａの鉛直方向に一列に８素子整列した赤外線センサを使用している。そのため、加熱室底面２８ａの左右方向は一度に前記複数個所の温度の検出が可能で、加熱室２８の奥側（加熱室奥壁面２８ｂ側）から前側（ドア２側）にかけては、赤外線センサ５２を一定角度の回転を複数回行うことで、加熱室底面２８ａの全域を複数に分けて温度を検出するものである（温度の測定時は赤外線センサ５２の回転を停止）。具体的には、加熱室底面２８ａに載置するテーブルプレート２４の全面の温度を検知する。
【００４２】
赤外線センサ５２は、加熱室底面２８ａに載置されたテーブルプレート２４の四辺から加熱室天面２８ｃに垂直に伸ばした仮想線の内側の加熱室天面２８ｃの左右方向の略中央に設けられている。
【００４３】
そして、赤外線センサ５２の視野は、テーブルプレート２４の上では、検知点ａと検知点ｈがテーブルプレート２４の前後のフランジ部２４ｂの温度を検知する範囲に定め、赤外線センサ５２の整列した複数素子の両端側のセンサはテーブルプレート２４の左端・右端のフランジ部２４ｂの温度を検知する範囲に定められている。こうすることで、テーブルプレート２４の略中央に載置された被加熱物６０ｃの温度を正確に検出する事が可能となる。そして、検出した温度データは制御手段２３ａに入力され、被加熱物６０ｃの温度管理に使用される。
【００４４】
５４は筒状のユニットケースで、最大径部に基板５３を配置し赤外線センサ５２のレンズ部５２ａを臨ませる窓部５４ａを設けている。また、ユニットケース５４の材料にはカーボンを含ませることでユニットケース５４の特性を導電材とすることで外来ノイズのユニットケース５４内への侵入を防止している。
【００４５】
５５は金属板から成るシャッタである。シャッタ５５は、赤外線センサ５２を使用しない時に後述する観測窓４４ａを閉じるものである（図７参照）。また、加熱室２８の温度がユニットケース５４に伝わるのを防止するために、ユニットケース５４の外周に冷却風を流すべく、ユニットケース５４の外周に沿って隙間を設けた風路５５ｃを形成するようにシャッタ５５を配置し、前記風路５５ｃに冷却風３９を流す出入り口となる開口５５ａと開口５５ｂを設けている。
【００４６】
５６は位置決め凸部で、赤外線センサ５２の検知点を基準位置（図８の検知点ａ）に合わせる手段として設けている。具体的に、赤外線センサ５２の検知点を検知点ａ（基準位置）に補正できるように、シャッタ５５によって観測窓４４ａを閉じた時に、位置決め凸部５６が赤外線ケース４８に設けられたストッパ（図示無し）に当接した状態で更にモータ５１を回転制御し、回転軸５１ａをスリップさせることで、前記制御手段２３ａの制御する基準位置と赤外線センサ５２の検知する基準位置を補正するものである。
【００４７】
４４は加熱室２８の内方向に突出吐出した円弧状の観測部で、回転軸５１ａの回転中心と筒状のユニットケース５４の中心とユニットケース５４の外周に沿って設けられて円弧状に曲げられたシャッタ５５の円弧の中心と円弧状の観測部４４の各中心位置は全て同一位置となっている。４４ａは観測部４４に設けた観測窓で、赤外線センサ５２の検出する視野範囲が開口している。また、マイクロ波加熱時に観測窓４４ａからのマイクロ波漏洩を防止するために、観測窓４４ａの周囲外側には立上壁（バーリング）４４ｂを２ｍｍ程度設けている。
【００４８】
観測部４４を加熱室２８の内側に突出させることで、最低限の狭い観測窓開口範囲で広範囲の温度検知が可能となる。
【００４９】
４９は凸部で、加熱室天面２８ｃから赤外線ケース４８と赤外線ユニット５０を離すものであり、加熱室天面２８ｃとの接触を凸部４９のみとすることにより、加熱時にグリル加熱手段１２や熱風ユニット１１などのヒータによって加熱された加熱室天面２８ｃの温度が赤外線ユニット５０に伝わりにくいようにしている。
【００５０】
次に被加熱物６０ｃの温度検出方法について詳細に説明する。
【００５１】
制御手段２３ａは、モータ５１を駆動して赤外線センサ５２の視野を閉鎖状態（図７）から基準位置（図５）である検知点ａに回転移動する。
【００５２】
観測面の温度の検知を開始すると、始めに基準位置で温度検知を行い、検出素子の複数個分の温度検知データを保存する。
【００５３】
その後、次の検知点ｂの温度を測定できるように、モータ５１を回転して赤外線センサ５２を一定角度、例えば終点方向（ドア２側）へ角度にして約３度回転移動して、観測面の温度を測定した後、再び３度回転移動を行い、赤外線センサ５２の視野が終点の検知点ｈを向くまで前記の動作を繰り返して測定する。本実施例では、８素子の赤外線検出素子を１４回（３度×１４ステップ＝４２度）回転移動させて１５列の温度データを検出している。全温度データは１２０カ所の温度を検出している。移動角度はＳ１（約４２度）となる。
【００５４】
終点位置である検知点ｈの温度の検出が終了した後、復路では、温度の検出を行わないで直接基準位置に戻るため早く基準位置に戻れる。以上の往復動作を一周期として、基準位置に戻ったら再び測定を開始して前記動作を繰り返す。
【００５５】
赤外線センサ５２は、テーブルプレート２４に載置した被加熱物６０ｃの略大きさ・外形を認識できるように、複数（例えば８素子）の赤外線センサ５２を一列に配置して、この赤外線センサ５２を３度ずつ１４回移動させて１５列の温度を測定することで、デーブルプレート２４内を総数１２０（８×１５）個の温度データ（図６参照）を取得する。
【００５６】
次に図９〜図１０に示す金属網１１１の金属網脚部１１１ａを角皿１１３に置き、金属網１１１には被加熱物６０ｄを載置し、この角皿１１３を棚２７に懸架した状態で、被加熱物６０ｄの温度検出を行う動作について詳細に説明する。
【００５７】
制御手段２３ａは、モータ５１を駆動して赤外線センサ５２の視野を閉鎖状態（図７）から基準位置（図５）である検知点ａに回転移動する。
【００５８】
被加熱物６０ｄの温度の検知を開始すると、始めに基準位置で温度検知を行い、検出素子の複数個分の温度検知データを保存する。
【００５９】
その後、次の検知点の温度を測定できるように、モータ５１を回転して赤外線センサ５２を一定角度たとえば終点方向（ドア２側）へ３度回転移動して、観測面の温度を測定した後、再び３度回転移動を行い、赤外線センサ５２の視野が終点の検知点Ｋを向くまで前記の動作を繰り返して測定する。本実施例では、８素子の赤外線検出素子を１６回（３度×１６ステップ＝４８度）回転移動させて１７列の温度データを検出している。全温度データは１３６カ所の温度を検出している。移動角度はＳ２（約４８度）となる。すなわち、前述した図８に示す被加熱物６０ｃの温度検出時より赤外線センサ５２の移動角度より２列分の温度データを多く取得する。
【００６０】
赤外線センサ５２によって終点位置である検知点Ｋの温度の検出が終了した後、復路では、温度の検出を行わないで直接基準位置に戻るため早く基準位置に帰還する。以上の往復動作を一周期として、基準位置に戻ったら再び測定を開始して前記動作を繰り返す。
【００６１】
以上の構成に基づき、図９〜図１２を用いて食パンを焼く場合を例に動作を説明する。
【００６２】
入力手段７１より食パンを焼いてトーストを作る設定を行う。設定されたメニューの加熱条件に基づいて制御手段２３ａは、赤外線ユニット５０を制御し、赤外線ユニット５０や加熱室温度センサ８０や重量センサ２５の検出結果に基づいて加熱手段を制御する。
【００６３】
入力手段７１よりトーストを設定されると、制御手段２３ａは、加熱する対象を被加熱物６０ｄと認識し、被加熱物６０ｄの設置状態は、金属網１１１を角皿１１３に置き、その角皿１１３を棚２７に置き、金属網１１１に被加熱物６０ｄが載置されていると認識する。
【００６４】
トーストを作る加熱工程は加熱工程Ｋ０とＫ１とＫ２の３個の工程から成り、加熱工程Ｋ０は、加熱工程Ｋ１と加熱工程Ｋ２の各加熱時間を算出するため、加熱室温度センサ８０により加熱室２８の温度、赤外線センサ５２により被加熱物６０ｄの温度、さらに電源電圧検出手段２９により本体１に供給され各種加熱手段に供給される電源の電圧値を検出し、検出した結果から加熱時間Ｔｋ１と加熱時間Ｔｋ２を算出する工程である。前記電圧値の代わりに電流値を検出しても良い。
【００６５】
加熱工程Ｋ１と加熱工程Ｋ２の両方の工程は食パン（被加熱物６０ｄ）を加熱する工程で、加熱する加熱モードはグリル加熱手段１２を用いたグリル加熱である。
【００６６】
被加熱物６０ｄの加熱の流れは、加熱工程Ｋ１の加熱時間Ｔｋ１が終了すると報知音を鳴らして使用者に被加熱物６０ｄの裏返しを促し、被加熱物６０ｄを裏返した後、入力手段７１より加熱を開始する事で加熱工程Ｋ２が開始される。裏返しを促す報知音を鳴らした後は、グリル加熱手段１２への電力の供給は停止し、加熱工程Ｋ２が開始した時にグリル加熱手段１２への電力の供給が開始される。加熱工程Ｋ２の加熱時間Ｔｋ２が終了して加熱が終了する。
【００６７】
次に加熱工程の流れに沿って加熱制御を詳細に説明する。
【００６８】
加熱開始は、入力手段７１より加熱開始の入力が行われることで開始する。開始すると初めの工程である加熱工程Ｋ０に移行する。
【００６９】
加熱工程Ｋ０では、被加熱物６０ｄへの加熱は行わず、各センサを用いて検出した検出値から加熱時間Ｔｋ（Ｔｋ１、Ｔｋ２）を算出する。
【００７０】
加熱時間Ｔｋは、加熱室２８の加熱開始前の初期温度、被加熱物６０ｄの加熱開始前の初期温度、グリル加熱手段１２に供給される電源の電圧値によって決定される。
【００７１】
加熱室２８の初期温度は加熱室温度センサ８０によって検出し、被加熱物６０ｄの初期温度は赤外線センサ５２により検出し、さらに本体１に供給されている電源の電圧値は電源電圧検出手段２９により検出を行う。そして加熱工程Ｋ１と加熱工程Ｋ２のそれぞれの加熱時間Ｔｋ１と加熱時間Ｔｋ２を算出する。
【００７２】
加熱時間Ｔｋは、検出した加熱室２８の初期温度に応じた加熱時間算出式が設けられ、加熱室２８の初期温度と本体１に供給されている電源の電圧値から、加熱工程Ｋ１と加熱工程Ｋ２のそれぞれの加熱時間Ｔｋ１とＴｋ２が求められ、この合計時間が加熱時間Ｔｋとなる。
【００７３】
但し前記加熱時間算出式は、被加熱物６０ｄの初期温度に応じた補正値と入力手段７１に設けられている加熱の状態を調整するための仕上がり入力の値とで補正される。
【００７４】
被加熱物６０ｄの初期温度に応じた補正値は、被加熱物６０ｄの初期温度に対応した温度帯に応じて設けられている温度補正係数算出式に検出した初期温度から算出され、仕上がり入力は、食パンの厚みや、食パンの種類（バターが多く含まれた食パン、レーズンなどが入った食パン）に応じて焼き上がりを調節するものである。
【００７５】
次に前記温度補正係数算出式について具体的に説明する。被加熱物６０ｄの初期温度（被加熱物６０ｄの保存温度）に応じて、冷凍庫で保存していた冷凍の温度帯、冷蔵庫で保存していた冷蔵の温度帯、常温で保存していた常温の温度帯の三種類設けている。
【００７６】
前記温度補正係数算出式を三種類の温度帯に分けた理由は以下のとおりである。食パンをトーストする場合、基本的には被加熱物６０ｄの初期温度が冷凍の温度帯と冷蔵から常温の温度帯の二種類に分けて加熱出来れば十分であることは事前に確認が出来ている。
【００７７】
しかし、被加熱物６０ｄの初期温度が冷凍の温度帯の食パンを焼き上げる場合と、冷蔵から常温の温度帯の食パンを焼き上げる場合に必要とする加熱時間には大きな差が有ることも確認済みである。
【００７８】
被加熱物６０ｄの初期温度が二種類に分けた温度帯の境界に近い温度の場合、赤外線センサ５２の検出誤差で実際の温度と補正値を算出する温度帯とを間違って判定した場合、例えば初期温度が冷凍の温度帯に有るのに対して検出温度が冷蔵から常温と判断して加熱を行うと不足が生じ、また初期温度が冷蔵から常温の温度帯に有るのに対して検出温度が冷凍と判断して加熱を行うと加熱し過ぎて食パンが焦げる課題が発生する。
【００７９】
前述した誤差は、赤外線センサ５２の検出誤差、被加熱物６０ｄである食パンを加熱室２８に載置して加熱を開始するまでに時間を要した場合、食パンの表面と内部の温度に違いが生じた事による誤差などである。
【００８０】
そこで、前述した誤差が発生した場合でも、その誤差を吸収して加熱できるように被加熱物６０ｄの初期温度に応じた補正値を求める温度帯を冷凍、冷蔵、常温の三種類に分け、初期温度が冷凍の温度帯の食パンの温度を検出した時、検出誤差が最大に振れた場合でも冷蔵の温度帯に止まり、初期温度が常温の温度域の食パンの温度を検出した時、検出誤差が最大に振れた場合でも冷蔵の温度帯に止まるように、この冷蔵の温度域を設けている。
【００８１】
また、被加熱物６０ｄの検出した初期温度と検出した初期温度に対応した温度帯に応じて設けられている温度補正係数算出式から補正値を算出することで、例えば同じ温度帯でも冷凍に近い冷蔵帯又は常温に近い冷凍帯であることが判明する事で、被加熱物６０ｄの初期温度が各温度域の境界に近い場合に生じる、検出温度に誤差が生じて隣接した温度帯と誤判定した場合でも、食パンを焼き上げることを可能としている。
【００８２】
但し、加熱室温度センサ８０の検出した加熱室２８の初期温度が高い場合は、赤外線センサ５２によって被加熱物６０ｄの温度の検出が出来なくなる。そこで、加熱室２８の温度が特定の温度より高い場合、被加熱物６０ｄの保存していた状態の入力を促す表示を表示部５に表示し、使用者に食パンの保存状態を入力手段７１より入力してもらうことで、赤外線センサ５２の検出できない場合でも食パンの加熱を可能としている。
【００８３】
使用者への被加熱物６０ｄの保存状態の入力を促す内容について、使用者は加熱する食パンの温度を測定することは出来ないので、使用者が簡単に判断して入力できるように、使用者の食パンの保存していた状況、例えば冷凍庫や冷蔵庫又は常温で保存していたかを容易に入力できるように、入力は冷凍の温度帯の場合か、冷蔵から常温の温度帯の場合の二者択一にしている。温度補正係数はそれぞれ特定値として設けている。
【００８４】
前記入力を二者択一にした理由は、被加熱物６０ｄの初期温度をセンサで検出するわけでないので、被加熱物６０ｄの初期温度の検出誤差が生じ無いことから、冷凍の温度帯の場合か、冷蔵から常温の温度帯の場合の二者択一としている。
【００８５】
被加熱物６０ｄの加熱は、初めの加熱工程Ｋ０で加熱工程Ｋ１と加熱工程Ｋ２の各加熱時間Ｔｋ１とＴｋ２を算出して全体（加熱工程Ｋ１＋加熱工程Ｋ２）の加熱時間ｔ（Ｔｋ１＋Ｔｋ２）を算出し、表示部５に全体の加熱時間ｔを表示して次の加熱工程に進む。
【００８６】
使用者は、表示部５に全体の加熱時間ｔが表示されることで加熱の終了する時間を把握することが可能であり、加熱終了後にすぐに加熱室２８から被加熱物６０ｄを取り出せる事から、加熱終了後に加熱後の温度の高い加熱室２８の中に被加熱物６０ｄが放置されることも無くなる。
【００８７】
次の加熱工程Ｋ１に進むと、被加熱物６０ｄを加熱室天面２８ｃに設けられたグリル加熱手段１２によって被加熱物６０ｄの一面を焼き、表示した時間が減算され、加熱時間Ｔｋ１が経過した後、表示している時間の減算を停止し、グリル加熱手段１２への通電を停止し、被加熱物６０ｄの裏返しの報知音を報知する。使用者がドア２を開け、角皿１１３をドア２の上に取り出して被加熱物６０ｄを裏返し、再び角皿１１３を棚２７へ懸架してドア２を閉めて入力手段７１より加熱を開始の入力を行うことで、次の工程である加熱工程Ｋ２へ進む。
【００８８】
加熱工程Ｋ２が開始すると、表示している時間の減算を再開し、被加熱物６０ｄの他面を焼き、加熱時間Ｔｋ２が経過して前記表示している時間がゼロになると加熱を終了する。
【００８９】
本実施例の加熱では、被加熱物６０ｄの載置に、金属網脚部１１１ａを備えた金属網１１１と角皿１１３を用い、角皿１１３を棚２７に懸架したものである。加熱室２８の高い位置に棚２７を設け、該棚２７に金属網脚部１１１ａの無い平らな金属角網を懸架し、この平らな金属角網に被加熱物６０ｄを載置して加熱しても良い。また前記金属角網に替わって角皿１１３を懸架してこの角皿１１３に被加熱物６０ｄを載置して加熱しても良い。グリル加熱手段１２に被加熱物６０ｄを近接出来れば良い。
【００９０】
グリル加熱手段１２に被加熱物６０ｄを近接すると、赤外線センサ５２を可動しても被加熱物６０ｄの全体の温度は検出出来なくなる。しかし、被加熱物６０ｄの初期温度が検出出来れば良いので、被加熱物６０ｄの全体の温度は検出しなくても良い。
【００９１】
これにより、電源電圧、加熱室温度、被加熱物の温度に影響を受ける事無く、食パンを焼き上げる事が可能となる。また、使用者は加熱開始後すぐに加熱時間を知ることができる。
【符号の説明】
【００９２】
１・・・本体、１２・・・グリル加熱手段、２２・・・インバータ基板、２３ａ・・・・制御手段、２８・・・加熱室、２９・・・電源電圧検出手段、５１・・・モータ（駆動手段）、５２・・・赤外線センサ、６０ｄ・・・被加熱物、７１・・・入力手段、８０・・・加熱室温度センサ、１１３・・・角皿、１１１・・・金属網、２３０・・・オーブン加熱手段、３３０・・・レンジ加熱手段、４３０・・・スチーム加熱手段
【図１】
2018194270.tif 000003
【図２】
2018194270.tif 000004
【図３】
2018194270.tif 000005
【図４】
2018194270.tif 000006
【図５】
2018194270.tif 000007
【図６】
2018194270.tif 000008
【図７】
2018194270.tif 000009
【図８】
2018194270.tif 000010
【図９】
2018194270.tif 000011
【図１０】
2018194270.tif 000012
【図１１】
2018194270.tif 000013
【図１２】
2018194270.tif 000014